(57)【要約】エンターテインメントにおける複数のアトラクションにお客様を受け入れる方法及びシステムが、先着順の列及び優先権ベースの列を含む。セルラー電話機を用いて、優先的地位を取得し主張する。他の形態では、場所、時間、及び必要な優先枠数に基づいて異なる優先権を確立する。エンターテインメント環境内の複数のアトラクションについての異なる列をコンピュータ制御するために、異なる階層を確立する。本発明のシステム及び方法は、集中した領域から他の位置への人の移動も行う。
2007509396.tif 000002
【特許請求の範囲】
【請求項１】
エンターテインメント環境内の複数のアトラクションにおけるお客様の受け入れを管理する方法であって、異なるお客様が少なくとも２つのベース、即ち第１には先着順ベース、第２にはアトラクションの入場枠の事前割当てによって確立された優先権ベースで前記アトラクションへの入場を許可されるお客様の受け入れ管理方法において、
ａ．アトラクションのお客様が、第１アトラクションへの入場に関連してセルラー電話機を使用することを可能にするステップと；
ｂ．前記第１アトラクションの入場枠の割り当ての要求の、前記セルラー電話機上での入力による申し込みを可能にするステップであって：
(i) 遠隔位置にいるお客様からの入力を受信し、この入力が中央コンピュータに伝送されて、前記第１アトラクションの受け入れ量が調整されるサブステップと；
(ii) お客様が、前記第１アトラクションへの戻り時間についての応答を遠隔的に受信することを可能にするサブステップと；
(iii) お客様が、前記利用可能な戻り時間の１つの選択を実行することを可能にするサブステップと
を具えたステップと；
ｃ．前記セルラー電話機による入力操作、特にキー入力操作を用いて、前記第１アトラクションへの入場を行うステップと
を具えていることを特徴とするお客様の受け入れ管理方法。
【請求項２】
前記遠隔位置からの入力が、電話機のキーパッド、特にセルラー電話機のキーパッドから受信されることを特徴とする請求項１に記載の方法。
【請求項３】
前記入力が、前記環境内の複数のアトラクションに対して実行され、前記セルラー電話機のキーパッドを用いて、前記複数のアトラクションへの入場を行うことを特徴とする請求項１または２に記載の方法。
【請求項４】
エンターテインメント環境内の複数のアトラクションにおけるお客様の受け入れを管理する方法であって、異なるお客様が少なくとも２つのベース、即ち第１には先着順ベース、第２にはアトラクションの入場枠の事前割当てによって確立された優先権ベースでアトラクションへの入場を許可されるお客様の受け入れ管理方法において、
ａ．アトラクションのお客様が、第１アトラクションへの入場に関連してセルラー電話機を使用することを可能にするステップと；
ｂ．前記第１アトラクションの入場枠の割り当ての要求の、キーパッド入力による申し込みを可能にするステップであって：
(i) 遠隔位置からの入力を受信し、この入力は特にキーパッド入力であり、前記入力が中央コンピュータに伝送されて、前記第１アトラクションの受け入れ量を調整するサブステップと；
(ii) 前記第１アトラクションへの戻り時間についての応答を遠隔的に受信することを可能にするサブステップと；
(iii) お客様が、選んだ前記利用可能な戻り時間の選定を実行することを可能にするサブステップと
を具えたステップと；
ｃ．前記セルラー電話機からの信号を用いて、前記第１アトラクションへの入場を行うステップと
を具えていることを特徴とするお客様の受け入れ管理方法。
【請求項５】
前記遠隔位置からの入力が、電話機のキーパッド、特にセルラー電話機のキーパッドから受信されることを特徴とする請求項４に記載の方法。
【請求項６】
前記入力が、前記環境内の複数のアトラクションに対して実行され、前記セルラー電話機のキーパッドを用いて、前記複数のアトラクションへの入場を行うことを特徴とする請求項４または５に記載の方法。
【請求項７】
前記優先権が、選ばれた本質的に自動的な手順によって返還され、この手順は、お客様に割り当てられたＲＦ識別子、磁気コード、またはバーコードのうちの１つの読み取りであることを特徴とする請求項１に記載の方法。
【請求項８】
前記優先権が、前記環境内への入場時、あるいは前記環境内の前記アトラクションへの入場時に返還されることを特徴とする請求項１に記載の方法。
【請求項９】
優先入場を権利付与された入場者数と非優先の入場者数との混合比を決定し、優先入場権の返還をフィードバックして、さらなる入場権利付与の利用可能性のリアルタイムに近い更新を計算することのできる計算プロセスを含むことを特徴とする請求項１に記載の方法。
【請求項１０】
事前に割り当てられた優先入場権の交換または返還の少なくとも一方を許可する能力を具え、これにより、前記交換が前記アトラクションの受け入れ量の更新計算を可能にすることを特徴とする請求項１に記載の方法。
【請求項１１】
優先入場権の不使用を、受け入れの計算の要素に取り入れることを特徴とする請求項１に記載の方法。
【請求項１２】
前記優先権が、選ばれた本質的に自動的な手順によって返還され、この手順は、お客様に割り当てられたＲＦ識別子、磁気コード、またはバーコードのうちの１つの読み取りであることを特徴とする請求項４に記載の方法。
【請求項１３】
前記優先権が、前記環境内への入場時、あるいは前記環境内の前記アトラクションへの入場時に返還されることを特徴とする請求項４に記載の方法。
【請求項１４】
優先入場を権利付与された入場者数と非優先の入場者数との混合比を決定し、優先入場権の返還をフィードバックして、さらなる入場権利付与の利用可能性のリアルタイムに近い更新を計算することのできる計算プロセスを含むことを特徴とする請求項４に記載の方法。
【請求項１５】
事前に割り当てられた優先入場権の交換または返還の少なくとも一方を許可する能力を具え、これにより、前記交換が前記アトラクションの受け入れ量の更新計算を可能にすることを特徴とする請求項４に記載の方法。
【請求項１６】
優先入場権の不使用を、受け入れの計算の要素に取り入れることを特徴とする請求項４に記載の方法。
【請求項１７】
エンターテインメント環境内の複数のアトラクションにおけるお客様の受け入れを管理するシステムであって、異なるお客様が少なくとも２つのベース、即ち第１には先着順ベース、第２にはアトラクションの入場枠の事前割当てによって確立された優先権ベースで前記アトラクションへの入場を許可されるお客様の受け入れ管理システムにおいて、
ａ．アトラクションのお客様が、第１アトラクションへの入場に関連してセルラー電話機を使用することを可能にする入場受信手段と；
ｂ．前記第１アトラクションの入場枠の割り当ての要求を、前記セルラー電話機上で入力するためのキーパッドであって：
(i) 遠隔位置にいるお客様からの入力用の受信機と、前記入力を中央コンピュータに伝送して前記第１アトラクションの受け入れ量を調整するための接続と；
(ii) 前記第１アトラクションへの戻り時間についての応答を受信するための、前記お客様の受信機と；
(iii) お客様が、前記利用可能な戻り時間の１つの選択を実行することを可能にするキーと
を具えたキーパッドと；
ｃ．前記第１アトラクションへの入場を行うために、前記セルラー電話機によるキー入力操作に応答する信号送信機と
を具えていることを特徴とするお客様の受け入れ管理システム。
【発明の詳細な説明】
【技術分野】
【０００１】
（発明の背景）
１．発明の分野
本発明は群衆の制御に関するものである。特に、本発明は大量の人の流れの制御に関するものである。より詳細には、群衆が集中する中心地（センター）である特定エリア（領域）に関するものである。本発明の方法及びシステムは、複数のアトラクションへの入場の管理にも関するものである。特に、本発明は、テーマパークのようなエンターテインメント（娯楽）環境内の複数のアトラクションの管理に関するものである。
【０００２】
テーマパークにおける列を管理し、待ち時間を最小化し、これらのパークで過ごす時間の有効利用を可能にして、エンターテインメント環境のお客様にとって快適な体験を達成するために使用される種々の異なる技法が存在する。同様に、エンターテインメント設備の運営者は、パーク（園）内の異なる乗り物（ライド）設備及び施設へのお客様の処理能力を改善する必要がある。このようにして、異なる設備の効率的な利用がなされ、お客様は異なる設備及び活動をパークの利益になるように利用することができる。より多くのお客様を効率的な方法で異なるアトラクションに収容することができる。
【０００３】
全般的に、エンターテインメント設備のお客様及び運営者にとってのエンターテインメント体験を増強する必要がある。
【０００４】
本発明は、複数のアトラクションが存在するエンターテインメント環境内の異なるアトラクションにおけるお客様の受け入れを管理する方法及びシステムに関するものである。より詳細には、本発明は、お客様の列または待ち行列を、ユーザーフレンドリーである（ユーザーにやさしい、使い勝手が良い）と同時に、できる限り多くのお客様によるパーク内の設備の利用を最大化することに指向したシステムを提供する効率的な方法での管理に関するものである。
【０００５】
従って、エンターテインメント環境内のアトラクションの入場（アクセス）及び受け入れを管理するための改善されたシステム、方法、及び装置が望まれる。
【０００６】
これに加えて、本発明は、人が集中するエリアに出入りする人の必要な移動量の意味での、群衆制御の強化されたシステム及び方法に関するものである。
【０００７】
（発明の概要）
本発明の一形態は、エンターテインメント環境内の複数のアトラクションへのお客様の受け入れを管理するシステム及び方法に関するものである。本発明は、アトラクションへの先着順の列に並ぶか、先着順の列または待ち行列に並ばずに後にアトラクションに入場する優先枠予約をとるかの選択を、お客様及び顧客に提供する。
【０００８】
本発明はさらに、制御コンピュータ及びソフトウェアシステムが動的かつ間断なく、エンターテインメント環境の変化、天候、停電、またはエンターテインメント複合施設における特定アトラクションの運休のような外部要因、及び特別な宣伝（プロモーション）及びアトラクションの要求に対処する調整を行う改善を提供する。
【０００９】
本発明は、エンターテインメント環境内の複数のアトラクションのお客様の受け入れを管理する方法及びシステムを含む。異なるお客様が、少なくとも次の２つに基づいてアトラクションへの入場を許可され、第１は、先着順のベースであり、第２は、アトラクションの利用枠の先行割り当てによって確立される優先権のベースである。
【００１０】
本発明の方法及びシステムはさらに、アトラクションのお客様が無線装置を利用してアトラクションへの入場権を得ることを可能にする。この無線装置は例えば移動（モバイル）電話機とすることができる。無線装置への要求入力は、第１アトラクションの枠の割り当てについて行われる。このことは次のステップを含む：
(i) 予約システムによってお客様を登録／認証するステップ；
(ii) 遠隔位置においてお客様からの入力を受け付け、この入力が中央コンピュータに伝送されてアトラクションの予約を要求するステップ；
(iii) 第１アトラクションを利用可能な時間の回答についての応答の、お客様による遠隔的な受信を可能にするステップ；
(iv) 前記利用可能な時間の回答のうちの１つの、お客様による選択を実行可能にするステップ。
【００１１】
移動電話機によるキー操作を用いて、第１アトラクションへの入場を要求する。お客様はアトラクションから離れた位置にいることができる。遠隔位置からの入力は、電話機のキーパッド、あるいは無線装置が採用する他の入力装置から生成される。お客様は、選択を行うためのメニューを提供される。このメニューは例えば、移動電話機では一般的なＬＣＤディスプレイ上に表示される。上記環境内の複数のアトラクションから選択するための入力が実行される。移動電話機または無線装置に代わる形態では、第１アトラクションへの入場を要求し、かつ／あるいは前記メニューから種々の異なる選択を行うユーザーまたはお客様による発声起動に応答する。
【００１２】
本発明の他の態様では、お客様が優先権ベースを利用する階層が存在する。階層内の異なるお客様が第１アトラクションへの入場を許可される。第１アトラクションにおける入場枠の割り当ての要求は次のステップを含む：
(i) 遠隔位置からの入力を受信し、この入力が中央コンピュータに伝送されてアトラクションの予約を要求するステップ；
(ii) お客様の前記階層内のレベルに関連して、利用可能な時間の回答を割り当てるステップ；
(iii) 第１アトラクションを利用可能な時間の回答についての応答の受信を可能にするステップ；
(iv) 選択された（割り当てられた）利用可能な時間の回答の選択をお客様が実行することを可能にするステップ。
【００１３】
１つのフォーマット（形態）では、前記階層が、上記環境にいて優先権の要求を行う人よりも相対的に、優先権の要求を行う際に上記環境から離れた所にいる人に基づいて決まることが好ましい。あるいはまた、前記階層は、優先権の要求を行う際に上記環境に関連する設備内に在所する人、及び上記環境にいて優先権の要求を行う人に基づくものとすることができる。
【００１４】
例えば１つの好適例では、エンターテインメントの現地への長期または短期の旅行を計画中の人は、来訪に先立ってアトラクションの入場を予約可能であることの通知を送られる。この人はインターネットに接続されたコンピュータを用いてウェブサイトを訪れ、本発明により優先権予約の要求を行う。他の好適例では、エンターテインメントの現地が、ホテルまたは他の周辺施設のサービスを提供することができ、これにより、人がエンターテインメントの現地を訪れるより先に優先権要求を行うことができる。例えば、人はテレビジョン及びリモートコントローラをホテルの室内で使用して、現地を訪れる以前の日に１つ以上のアトラクションの予約を行うことができる。好適な実現では、アトラクションの予約を購入または取得が可能であるより先に、エンターテインメントの現地に既に有効なパス（入場証）またはチケット（券）である必要性が存在する。予約の発行前のパスまたはチケットのコンピュータシステムによる有効確認が存在可能であることが好ましい。
【００１５】
本発明のさらに他の態様では、複数の優先権要求システムが、選ばれたお客様に提供され、上記環境内の異なるアトラクションに対して複数の要求が存在する。このようにして、お客様は複数のアトラクションへの来訪のスケジュール（予定）を立てることができる。
【００１６】
選ばれたお客様には複数の優先権要求を許可することができ、これら複数の要求は上記環境内の異なるアトラクションに対するものである。これら複数の要求は、選択したグループ内の異なるお客様用とすることができ、そしてお客様の階層の少なくとも１つのレベルのものとすることができる。
【００１７】
本発明のさらに他の態様では、第１アトラクションにおける入場枠の割り当ての入力による申し込みが次のステップを含む：
(i) 遠隔位置からの入力を受信するステップ。この入力は、対話型テレビジョン装置、とりわけディジタルテレビジョンに関連する制御装置によって行われる。制御装置はテレビジョンを制御し、前記入力は中央コンピュータに伝送されて、第１アトラクションの受け入れ量を調整するステップ；
(ii) 第１アトラクションを利用可能な時間の回答についての応答の遠隔的な受信を可能にするステップ；
(iii) 選択された利用可能な時間の回答の選択をお客様が実行することを可能にするステップ。
【００１８】
前記テレビジョンは、上記環境から離れた遠隔位置に配置可能である。この遠隔位置はとりわけ、お客様の部屋、エンターテインメント環境に関連する部屋の少なくとも一方に存在することができる。あるいはまた、前記テレビジョンは、前記部屋を収容する設備の共用エリア内に置くことができる。
【００１９】
本発明のテレビジョンへの応用は、優先権要求を行う際に上記環境から離れた所にいる人、及び上記環境にいて優先権要求を行う人に基づいて決まる利用可能時間の階層の異なる態様を含むことができる。
【００２０】
優先権は、選択された本質的に自動的な手順によって返還可能にすることができる。こうした手順は、ＲＦ（Radio Frequency：無線周波数）身分証明うちの１つの読み取り、お客様に割り当てられた磁気コードまたはバーコードの読み取りのいずれか１つ以上を含むことができる。上記返還は、上記環境に入った時点とするか、あるいは上記環境内のアトラクションにおいて行うことができる。
【００２１】
演算プロセスは、優先入場を権利付与された入場者数と非優先の入場者数との混合比を決める。優先権の返還はフィードバックされて、さらなる入場権利付与の利用可能性のリアルタイム（実時間）に近い更新を計算することができる。
【００２２】
事前に割り当てられた優先入場権の交換または返還の少なくとも一方を許可する能力も存在する。こうした交換は、アトラクションの受け入れ量の計算を更新の余地を与える。優先割り当ての不使用は、受け入れ量の計算に要素に入れることが好ましい。
【００２３】
本発明の目標は、顧客の満足度、追加的な収入の機会、及びリゾートの差別化の増加を導き出すために必要な所望機能を改善することにある。
【００２４】
本発明はさらに、行列管理を達成する「ファストパス（Fastpassディスニー・エンタープライズ社の登録商標）」（入場予約証の一種）システムに関連して説明する。以下、参照を容易にするために、登録商標「ファストパス」を用いる。しかし、「ファストパス」は本発明がカバーする列または待ち行列管理のシステムだけではない。本発明は一般に、先着順システムと連携して動作可能な異なる優先権システムをカバーする。
【００２５】
本発明は、いかにより概括的に述べる多くの異なる環境における群衆制御の種々の異なる態様にも関するものである。
【００２６】
本発明のさらなる目的、特徴及び利点は、以下の図面を参照した実施例の説明より明らかになる。
【００２７】
（実施例の詳細な説明）
以下の説明では、本発明のより完全な説明を提供するために、多くの特定の詳細例を記述する。しかし、本発明はこれらの特定の詳細例以外で実施可能であることは当業者にとって明らかである。一部の例では、本発明をあいまいにしないために周知の特徴は詳細に説明していない。
【００２８】
少なくとも、アトラクションへの入場を管理する方法及びシステムが存在する。このシステムは特に、アトラクションへの入場を望む顧客数が、このアトラクションの収容力より多いことが１回以上ある環境における使用に適用可能である。こうした条件は収容力不足の条件と称することができる。収容力不足の条件は、特定時刻、あるいはある期間にわたって、アトラクションへの受け入れを希望する顧客より少ない顧客しか収容できないことを意味する。この条件は、所定時刻に特定エリアにいる人数を制限することが望ましい場合のように制限が課せられることによって生じ得る。このことは、安全のため、あるいは他の種々の目的のためであり得る。この条件は、特定の乗り物（ライド）の座席数及びこの乗り物の周回時間のような物理的制限によっても生じ得る。
【００２９】
図１に、本発明の一実施例を示す。このシステムは、アトラクション２２への入場を制御するために用いる。本明細書で用いる「アトラクション」とは、１人以上の顧客が入場を希望する場所または上演（プレゼンテーション）で構成されることを意味する。アトラクションはサービスを提供する場所で構成され、例えば乗り物（ライド）、舞台（ステージ）または他のショー、劇場、パレード、レストランまたは他の供食（フード）サービス、販売所、交通、等である。アトラクションは、地理的位置、例えば自然の驚異、美術館等で構成することもできる。従って上記システムは、特に乗り物型のアトラクションに適用可能であり、本明細書では乗り物型のアトラクションへの入場の制御における利用について説明するが、上記システムは、行列を回避することが望まれる広範な他の環境でも用いることができる。
【００３０】
本発明のシステムは第１待ち行列２４を具え、従来、多くの所で行われてきたように、第１待ち行列２４に顧客が並んで待つことによってアトラクションに入場することができる。換言すれば、第１待ち行列２４内の顧客は、待ち行列に付いた時刻に基づく順番（先着順）の列をなし、アトラクションの入場枠または収容力が利用可能になった際に、この順番でアトラクションを利用することができる。１つ以上の実施例では、待ち行列２４は、アトラクション２２の入口に配置され、入場を制御するための回り木戸２８または同様の装置を具えている。待ち行列２４は、顧客が列を作るための空間を規定するためのロープ、フェンス３０等を具えることもできる。
【００３１】
第１待ち行列２４内の顧客は、第２待ち行列２６経由でアトラクションに入場する顧客で満たされない空き枠がある際に、このアトラクションへの入場を許可される。以下でより詳細に説明するように、第２待ち行列２６経由でアトラクションへの入場を許可される顧客数は、第１待ち行列２４内の顧客に特定数の空き枠が提供されるように調整することができる。例えば、アトラクションの利用可能な枠の８０％を、待ち行列２６からの顧客専用としこれらの顧客で満たして、残りの２０％を第１待ち行列２４からの顧客で満たすことができる。これに加えて、第２待ち行列２６の顧客専用の枠の１つ以上が満たされていない場合には、例えば、第２待ち行列２６のパスを取得した顧客の１人以上がこのアトラクションに入場するために戻って来ない場合には、これらの枠を第１待ち行列２４内の顧客で満たすことができる。以下でより詳細に説明するように、この構成はアトラクションが常に最適な収容力で運用されることを可能にする。
【００３２】
本発明のシステムは第２待ち行列２６も含み、第２待ち行列２６によって、顧客は行列で待つことなしにアトラクション２２に入場し、これにより第１待ち行列２４を回避することができる。本発明のシステムの１つ以上の実施例では、システムが、顧客が第２待ち行列２６経由でアトラクションに入場するための割り当て時間をもらう権利を確認するための確認器を少なくとも１つ含む。
【００３３】
図１に示す実施例では、システムが、顧客が第２待ち行列２６を利用するための将来の割り当て時間をもらう権利を確認するための第１確認器３２と、顧客が将来時間に第２待ち行列２６経由でアトラクション２２に入場することを許可するための第２確認器３４とを具えている。このようにして、顧客は第１待ち行列２４を回避することができる。
【００３４】
動作中には、顧客は第１確認器３２を利用して、第２待ち行列２６経由でアトラクションに入場するための将来の割り当て時間を得る。以下で説明するように、一実施例では、資格のある、あるいは「有効確認された」顧客には、この顧客が戻ってアトラクションを利用する資格を与えられた時刻または時間範囲を含むパスを発行することができる。このパスが発行される時刻と顧客がアトラクションを利用することのできる時刻との間の時間は、既にパスを取得した人数、アトラクションの収容力、アトラクションの運行速度、スタッフ（要員）の利用可能性、第２待ち行列２６経由でアトラクションに入場する顧客に割り当てられたアトラクションの収容力、及びアトラクションの運用に関連するあらゆる遅れを含む複数の要因に依存する。
【００３５】
割り当てられた（例えばパスに示された）時刻または時間範囲が来ると、顧客は列で待つことなしにアトラクションに入場する資格を得る。顧客は第２待ち行列２６に付いて、第２待ち行列２６経由でアトラクションに入場する資格を確立する。一実施例では、顧客が発行されたパスを第２確認器３４の所で提示して、このパスが有効であれば、即ちその時刻または時間範囲が適切である、このパスが偽造でない、等であれば、顧客はアトラクションに入場許可される。
【００３６】
顧客がまだ未使用であるか有効期限切れでないパスを事前に発行されていない際には、顧客は第２待ち行列のみを利用することができる。この方式は、顧客が単一アトラクション用のパスを多重に取得することを防止するか、あるいは顧客が複数のアトラクションへの入場を予約することを防止するためである。以下でずっと詳しく説明するように、顧客が１つ以上のアトラクションに対して複数のパスを得ることを可能にすることができる。
【００３７】
図１に示すように、アトラクション２２の入口またはその付近で、顧客は、アトラクション２２に第１待ち行列２４経由で入場するか第２待ち行列２６経由で入場するかの決定地点を提供される。第１待ち行列２４に列が認められない際には、顧客は第２待ち行列２６に進んで従来技術の方法でアトラクションを利用することを決心することができる。列または待ち行列２４が長過ぎる場合には、あるいは顧客が本発明のシステムを利用したい場合には、顧客は第２待ち行列２６を選ぶ。
【００３８】
本発明のシステムは、第１待ち行列の待ち時間発生器３１及びこれに結合されたディスプレイ３３を具えている。第１待ち行列の待ち時間発生器３１は、第１待ち行列に付くところの顧客による第１待ち行列２４経由でのアトラクションへの入場に関連する待ちに関する時間を発生する。もちろん、この待ち時間は、例えば、第１待ち行列２４を通る１人以上の特定顧客の、列に付いてからアトラクションに入場するまでの待ち時間を追跡することによって、手動で計算することができる。１つ以上の実施例では、第１待ち行列の待ち時間発生器３１がセンサーを具え、これらのセンサーは、発生器３１がこの行列に関連する現在の待ち時間長を測定するために用いるデータを提供する。これらのセンサーは、列の物理的な長さのような情報を提供することができる。発生器３１は、この情報、及び現在の乗り物（ライド）の収容力、第２待ち行列２６経由で入場する顧客に割り当てられた収容力の割合、及び近似的な第１待ち行列の待ち時間を発生するための他の要素のような情報を利用することができる。発生器３１が使用する種々のデータは手動で入力することもできる。例えば、乗り物の操作員（オペレータ）は物理的な列の長さを視覚的に推定して、列長のデータを発生器３１に入力することができる。第１待ち行列の待ち時間のディスプレイ３３は、決定地点３６において、第１待ち行列の待ち時間情報を顧客に提供すべく構成することができる。ディスプレイ３３は、待ち時間の「時」及び／または「分」を表示するディジタルまたは他のディスプレイで構成することができる。
【００３９】
本発明のシステムは、第２待ち行列時間のディスプレイ３５を具えている。このディスプレイ３５は、第２待ち行列２６を通ってアトラクションに入場する顧客に割り当てられる次の時間を表示すべく構成されている。ディスプレイ３５は、待ち時間の「時」及び／または「分」を表示するディジタルまたは他のディスプレイで構成することができる。
【００４０】
ディスプレイ３３及び３５のそれぞれによる顧客が利用可能な入場時間に関する情報を用いれば、顧客がそれぞれ第１待ち行列２４または第２待ち行列２６を通ってアトラクションに入場することを決意する手助けとなる。
【００４１】
顧客の割り当てられた将来時間についての資格を確認する第１確認器３２は、アトラクションから離れた所に配置することができ、あるいは２つ以上の第１確認器３２が存在し、１つはアトラクションの付近に配置し、他の１つ以上はアトラクションから離れた所に配置することができる。例えば、第１確認器３２はテーマパークの入口付近に配置することができる。こうした状況では、第１待ち行列２４の待ち時間を表示するディスプレイ３３及び第２待ち行列２６経由でアトラクションに入場するために次に利用可能な時間を表示するディスプレイ３５は、離れた所にある第１確認器３２の所に配置することもできる。
【００４２】
図２に、第１確認器３２、メディア（媒体）配布器３８、及び関連する第２確認器３４を有する第２待ち行列２６を有するシステムの一実施例を示す。第１分配器３２は、第２待ち行列２６経由でアトラクションに入場するために割り当てられた将来時間の資格を顧客が有することを判定または確認すべく構成されている。一実施例では、第１確認器３２が、将来時間を割り当てられたパスに対する顧客の権利を確立し、このパスは、顧客がその将来時間に第２待ち行列２６経由でアトラクション２２に入場するために使用する。第１確認器３２はカードリーダ型装置で構成することができ、この装置は、顧客に対して発行されたチケット（チケット）上の磁気ストライプを読み取るように構成されている。こうした構成では、顧客がアトラクション２２に入場する権利を確立するチケットまたは類似の要素を各顧客に提供することができる。
【００４３】
アトラクション２２がテーマパーク内にあるか、あるいはテーマパークの一部である実施例では、顧客が確認のために使用するチケットは、顧客に対して発行されたチケットとすることができ、このチケットによって顧客はパーク自体への入場を行う。こうした構成では、第１確認器３２は、顧客に関する情報、例えば第２待ち行列２６を利用する資格を与えるチケット番号による情報を含む主データベースと通信すべく構成することができる。
【００４４】
第１確認器３２は、キーパッドからの入力、カード上の情報を読み取るか、発行されたトークンを受けるか、顧客の１つ以上の生体識別子、例えば無線周波数識別子（ＲＦＩＤ：Radio Frequency Identification）、網膜、発声、体温、指または手の幾何学的特徴、あるいは顧客の視覚的な身分証明、等を識別すべく構成することができる。
【００４５】
第１確認器３２が、第２待ち行列２６経由でアトラクションに入場するための将来の割り当て時間に対する顧客の権利を確立する場合には、メディア配布器３８はパスを顧客に配布し、顧客はこのパスを利用して第２待ち行列２６経由でアトラクションに入場することができる。一実施例では、メディア配布器３８がプリンタ（印刷機）を具え、このプリンタが紙のパスまたは類似の要素を印刷する。メディア配布器３８は広範なメディア（媒体）の１つ以上をパスとして発行することができ、例えば磁気ストライプにコード化されたカードまたは「スマートカード（登録商標）」、パンチ（穿孔）型カード、コード化されたトークン、バーコード、赤外線信号、あるいは上述したような生体識別子、等である。
【００４６】
メディア配布器３８によって各顧客に配布されたパスは、顧客が将来時刻にアトラクション２２に入場することを可能にすべく構成されている。以下で説明するように、この特定時刻は多種多様な環境に応じて変化させることができる。この時刻は、割り当てられた入場時刻または時間範囲で構成することができ、この時刻または時間範囲は、資格のある顧客に対して発行されるパス上に印刷される。以下の例では、このパスを、関連する「時間」を有するものとして参照する。なお、この「時間」は、特定時刻及び／または時間範囲、期間、あるいは時間ウィンドウ（窓）のいずれをも意図する。
【００４７】
第１確認器３２及びメディア配布器３８は、アトラクションに隣接して配置し、且つ／あるいはアトラクションから離れた所に配置することができる。第１確認器３２及びメディア配布器３８をアトラクションの付近に配置する場合には、パス等を取得した後に、顧客はアトラクション２２のエリアを離れて、パスで提供された時間まではアトラクション２２に戻る必要はない。顧客がパスをアトラクションから離れたメディア配布器３８から取得する場合には、顧客は、割り当てられた時間にアトラクションの付近に行くことが必要になるまでは、単に自分の活動を続ける。以下でより詳細に説明するように、顧客がパスを取得する権利は、顧客が、例えばメインチケット（本券）の購入と同時に追加的な代金を支払う付加価値の特徴とすることができる。
【００４８】
第１確認器３２は、メインチケットの発行器／確認器と統合することができ、そして第２待ち行列のパスはメインチケットと同時に、あるいはメインチケットの一部として発行することができる。例えば、テーマパークに入る顧客は、チケットを提示または購入すると同時に、システムによって割り当てられた将来時刻を提供する１つ以上のパスを取得することができる。このことは、顧客が現時点より先の一日の計画またはスケジュールを立てることを可能にする。この構成では、顧客がテーマパークに入場するために使用する券に、顧客が将来時間に１つ以上のアトラクションに入場することを許可するための入場時間の情報をコード化及び／または印刷して、パスを別個に発行する必要性を回避することができる。
【００４９】
アトラクション２２への入場を許可するシステム及び方法は、顧客が割り当てられた時間に第２待ち行列２６経由でアトラクションに入場する権利を確立するための第２確認器３４を含む。一実施例では、第２確認器３４が、メディア配布器３８によって発行され顧客が保有しているメディア（媒体）またはパスを確認する。１つ以上の実施例では、第２確認器３４は、パス上に印刷された情報を読み取って確認する人間の係員で構成される。この係員は、印刷された割り当て時刻または時間範囲を現在時刻と照らし合わせて確認し、パスの日付を今日の日付と照らし合わせて確認し、そしてこのパスが発行された対象のアトラクションを確認することができる。
【００５０】
あるいはまた、第２確認器３４は、顧客が第２待ち行列２６経由でアトラクション２２に入場する資格を確認するためのカードリーダ（カード読取器）または他の装置で構成することができる。例えば、第２確認器３４は、メディア配布器３８によって発行された要素、例えばバーコードまたは赤外線信号に関連するデータを確認すべく構成することができる。
【００５１】
顧客に対して発行するパスは、顧客が割り当てられた時刻または時間範囲を知り、そして思い出すための参照用のみに発行することができ、そして第２確認器３４は、パスに依存しない方法で顧客の資格を確認することができる。例えば顧客は、第１確認器３２において、指紋、ＲＦＩＤ、バーコード、または他の個人生体データでパスの資格を確立することができる。パスは、割り当て時間の書面表示を顧客に提供する。顧客が第２待ち行列２６に付くと、顧客は第２確認器３４において、指紋、ＲＦＩＤ、バーコード、または他の個人生体データによって再び確認を確立することを要求され得る。この構成では、第２確認器３４は、指紋で顧客の識別を確立し、顧客が第２待ち行列に付こうとする時間がこの顧客に割り当てられた時刻または時間範囲であるか否かを判定することによって、顧客がアトラクションに入場する資格があることを判定する。第２確認器３４は、第１確認器３２について上述した種々の方法の１つ以上で確認を確立すべく構成することができることは明らかである。なお、顧客に全くパスを発行しないことができることも明らかである。
【００５２】
メディア配布器３８によって発行された各メディアに関連する入場時間を特定するための１つ以上の方式が提供される。顧客が第２待ち行列２６経由でアトラクション２２への入場を許可される時間は、次の種々の要素：アトラクションの収容力、第２待ち行列２６を通って入場する顧客に割り当てられたアトラクションの収容力、アトラクション２２への入場を希望し得る顧客の総人数、現在及び将来のアトラクションの要員配置、顧客の人数統計、（１日のうちの）時刻、及び曜日の１つ以上に依存するが、これらの要素に限定されない。
【００５３】
本発明のシステムはコントローラ４４を具えている。図に示すように、コントローラ４４はメディア配布器３８を制御すべく構成されている。コントローラ４４は、システムの他の構成要素、例えば第１確認器３２を制御すべく構成することもできる。１つ以上の実施例では、コントローラ４４はアトラクションの収容力及び／または時間の情報を受信し、発行する各パスに関連する時間をメディア配布器３８に指示する。コントローラ４４は第２待ち行列の時間ディスプレイ３５に信号を送信して、割り当てられる次の時間を表示する。
【００５４】
キーパッド４６または他のデータ入力／制御装置、例えばキーボード、マウス、ジョイスティック等を設けて、データを手入力してコントローラ４４を制御することができる。キーパッド４６は、特定の時間情報を入力するため、コントローラ４４をリセットするため、等に用いることができる。ＣＲＴのような表示スクリーン４７をコントローラ４４及びキーパッド４６に結合して、ユーザーがシステムに関する情報を見ることを可能にすることができる。
【００５５】
ローカルサーバー４８はデータを送信及び受信すべく構成されている。ローカルサーバー４８は、アトラクション２２の収容力及び他の特性についてのデータを受信すべく構成されている。例えば、種々のセンサーをアトラクション２２に結合させてデータを供給することができる。１つ以上の実施例では、これらのセンサー（図示せず）が乗り物の速度、第１待ち行列２４を通過するかこの待ち行列に並んでいる顧客数、乗り物の収容力、等を監視することができる。ローカルサーバー４８は種々の時刻に、あるいは連続的にこれらのセンサーからデータを受信するか、あるいはデータについての特定要求を送信することができる。他の実施例では、ローカルサーバー４８はアトラクション及び上記センサーと通信するリモートサーバーとすることができる。
【００５６】
情報は手動または自動で入力することができる。例えば、乗り物を操作するために現在活用可能な各要員（スタッフ）が自分の職員番号を手動入力して、自分がシステムを操作するために活用可能であることをシステムに示すことができる。活用可能として示された職員の数に基づいて、ある期間中にサービスを受けようとする顧客数の調整を行うことができる。
【００５７】
当業者にとって明らかなように、スリルライド（スリルのある乗り物）のような現在の多くのアトラクションは、精巧なライド制御システムを既に具えている。これらのシステムは、乗り物を監視し制御するための種々のセンサー及びコントローラを有する。ローカルサーバー４８は、単に個別のライド制御システムとのインタフェースで構成して、これらの制御システムからの情報を受信することができる。
【００５８】
サーバー４８に提供される情報はアルゴリズムプロセッサ５０に送信される。アルゴリズムプロセッサ５０はこれらのデータを利用して、メディア配布器３８によって発行するための（割り当て）時間を決定する。一般に、アルゴリズムプロセッサ５０は各メディアに関連する時間を発行し、このメディアは、顧客が所定時間にアトラクション２２のメディア確認器３４の所に戻り、例えば第２確認器３４経由で列に並ぶことなしにアトラクション２２に入場することを可能にすることが望ましい。需要と収容力とを正確に均衡させるために、アルゴリズムプロセッサ５０は、需要及び収容力に影響する種々の要因に関するデータを取得する。図２には別個の実体として示しているが、コントローラ４４及びアルゴリズムプロセッサ５０は単一の装置またはプロセスとして実現することができる。
【００５９】
第１待ち行列２４に関連する待ち時間が所望時間より長くなれば、後の時間についてはより少数の入場時間を発行して、ある期間中により多数の顧客が第１待ち行列２４からアトラクション２２に入場できるように、アルゴリズムプロセッサ５０を構成することができる。アトラクション２２の収容力が急に低下した場合には、同様の方法で対処するようにアルゴリズムプロセッサ５０を構成することができる。アトラクション２２の収容力が増加した場合には、より多数の入場時間を発行するようにアルゴリズムプロセッサ５０を構成することができる。
【００６０】
図３に示すように、各アトラクション２２には２つ以上のメディア配布器３８及び第１確認器３２を設けることができる。アトラクション２２への入場を許可するための第２メディア確認器を２つ以上設けることもできる。
【００６１】
演算プロセスは、優先入場の数と非優先入場の数との混合比を決定する。優先権の返還はコンピュータシステムにフィードバックされて、さらなる入場権利付与の利用可能性のリアルタイムに近い更新を計算することができる。
【００６２】
事前に割り当てられた優先入場の交換または返却の少なくとも一方を許可する能力も存在する。こうした交換は、アトラクションの受け入れ量の計算を更新の余地を与える。優先割り当ての不使用は、受け入れ量の計算に要素に入れることが好ましい。
【００６３】
（複数のファストパス及びファストパスの事前割当て）
お客様は、アトラクションに入場するための複数の優先権要求を行うことができる。複数の要求は、上記環境内の異なるアトラクションに対するものとすることができる。複数の優先権要求は、選ばれたお客様に許可することができる。選ばれたグループ内の異なるお客様についての複数の要求は、お客様の階層の少なくとも１つ以上のレベルに関して調整することができる。
【００６４】
図４は、本発明の好適な実施例の流れ図であり、複数のファストパス・チケットを発行する能力を示す。この例では、階層は異なる位置に基づき、これらの位置は、パークから離れた位置とすることもパークにより近い位置にすることもできる。
【００６５】
図４の好適なプロセスは、エンターテインメント環境内で運営される組織のマーケティング（市場調査）及び販売部門から始まり、この部門は特別なファストパスの特権がリゾートのお客様（ゲスト）にとって利用可能であることを伝える。この伝達は、インターネットまたは他のネットワークを通って無線的に伝送され、そしてエンターテインメント環境に関連するリゾート地に在所するお客様に伝わることが好ましい。そしてお客様は、エンターテインメント環境であるパークを来訪する前に、複数のファストパス・チケットの希望を示す。
【００６６】
（テレビジョン・ファストパス）
次に、室内にディジタルテレビジョン（ＤＴＶ：Digital Television）のある部屋がリゾートにあるか否かを判定する。こうした部屋があれば、お客様は占有中の室内にあるＤＴＶを使用するよう仕向けられる。ファストパスの利用可能性は、パークを来訪する前日の夜に提供することができる。お客様が既にスケジュール（予定）を立てている場合には、お客様は自分のスケジュールを開始したいか、自分のスケジュールに追加したいかを聞かれる。そしてお客様は、ファストパスに関係する一連の質問をされることがある。
【００６７】
お客様がスケジュールを立てていない場合には、お客様は一連の異なる質問をされる。これらの質問は、どのパークに行こうとしているか、及び何時にそのパークに到着しようと思うかに関するものであり得る。そしてお客様は、希望する適切なファストパス・チケットを選定する。これらのことを実行すると、来訪及び履歴的な需要特性に基づく配布アルゴリズムに基づいて戻り時間ウィンドウが表示される。
【００６８】
お客様にファストパスを使用するためのタイムスロットを与えることができ、そして必要に応じて異なる規則をファストパス割り当てに適用することができる。お客様が上記戻り時間に満足した場合には、お客様は、関係者中全員がアトラクションを利用するか選抜した人だけが利用するかを選択する選択肢を与えられる。そしてファストパス・チケットはシステムに記憶され、各お客様のＫＴＴＷ（「キー・ツー・ザ・ワールド（Key To The World）」カードまたはパス、ディズニー・エンタープライズ社の登録商標）によって後に有効確認することができる。
【００６９】
お客様は、現在のパークにおいて同じ日に他のアトラクション用の他のファストパスが必要であるか否かを聞かれ、そして異なる数のチケットを発行されることがあり得る。
【００７０】
お客様は、関係者のメンバー（人員）毎のオンスクリーン（スクリーン上での）確認を提供されることがあり得る。戻り時間ウィンドウ及び身長制限をお客様が利用可能にして、お客様は、スケジュールを知らされ、このスケジュールを受け入れるか否かの適切な決定を行うことができるために必要な情報を十分に持つことができる。
【００７１】
最終的に、お客様は最後のオンスクリーン確認を受信し、パーク内のいずれかのファストパスの場所に仕向けられて複数のファストパスを受け取ることができる。
【００７２】
ＤＴＶがない状況では、お客様はファストパス特権用のキオスクに行くように仕向けられる。これらのキオスクはリゾート、あるいはリゾートに関連するホテルの共用エリア内に配置することができる。有効なＫＴＴＷカードが挿入されると、このことは日付が利用可能な日付であるか確認されることを意味し、お客様は、システムにＤＴＶが存在する場合と同様の一連の質問をされる。日付が確認されなければ、エラーメッセージが印刷され、お客様は再試行することができる。
【００７３】
複数のファストパスを使用するプロセスをさらに、図５を参照しながら説明する。お客様はパークに入り、ファストパスの場所に行く。適切なＫＴＴＷカードを挿入し、前に予約されたその日のすべてのファストパス・チケットを受け取る。
【００７４】
お客様は、変更及び交換を行う選択肢を与えられる。お客様が考えを変えていなければ、お客様はその日をこのパークで過ごし、適切な戻り時間ウィンドウで取得した所定のチケットに従って各アトラクションに行くことができる。他のアトラクションのため、あるいは既に予約している戻り時間より好都合な戻り時間を求めてお客様が考えを変えた場合には、お客様はファストパス・スクリーンへ進んで、より好都合なものが利用可能であるか否かを決める選択肢を授受することができる。
【００７５】
上記スクリーンでは、変更ができない状況、及びお客様がファストパス特権の交換を許可される状況が存在し得る。お客様は、所定のアトラクションにおけるファストパスの戻り場所に行って、係員がバーコードスキャン（走査）装置を用いてチケットを無効にし、お客様は他のチケットを得ることができる。
【００７６】
お客様が考えを変えた場合には、お客様はファストパスの列に行って係員にチケットを見せ、係員はバーコードスキャナを用いて時間を読み取り、許可されれば、お客様はアトラクションに乗ることができる。あるいはまた、係員の代わりに、チケットを適切なスキャニングリーダ（走査読取器）及びまたはスキャンセンサー手段によって自動的に読み取ることができる。
【００７７】
図６は、プロトコルを示す流れ図であり、このプロトコルによって、マスターサーバー１０２（図では「マスターサーバー・フィード」と称する）が各アトラクションに関連するシステムのコントローラ４４と通信し、１つの実現では、図４及び図５において提供される情報に関連する。図７Ａ〜７Ｃに、プロトコルを示す流れ図を示し、このプロトコルによって、コントローラ４４がマスターサーバー１０２と通信する。
【００７８】
図８に、パーク入場券の有効確認と顧客が第２待ち行列２６に付く資格の確立とを集中させたシステムを図式的に示す。本実施例では、顧客は、事前購入するかゲート（入場門）で購入するかしてチケットを取得する。中央パーク入場コントローラ兼データベース２００は、有効なチケットに関する情報を記憶する。顧客は、回り木戸２０２経由で入場を許可されるか、他には、顧客のチケットが有効確認された際に入場を監視される。例えば、顧客のチケットをチケットリーダ（券読取器）２０４によって読み取って、パーク入場コントローラ２００がチケット上のデータを記憶しているチケット情報と付き合わせて確認することができる。
【００７９】
顧客がアトラクションの第２待ち行列に付くための割り当て時間を得たい際に、顧客は第１確認器２３２によって資格を確立する。第１確認器２３２はマスターコントローラ２４４経由で中央パーク入場コントローラ２００と通信する。この構成は、顧客のチケットが特定日に有効であること、無効になっていないこと、等の判定を可能にする。チケットが有効確認された場合には、上述したように、メディア配布器２３８によって顧客にパスを提供することができる。またマスターコントローラ２４４は、当該アトラクション用のパスが顧客に発行されていることのデータを中央パーク入場コントローラ２００に送信すべく構成されている。そして、顧客が、最初のパスが未使用である間に当該アトラクションまたは他のアトラクション用のパスを取得しようとした場合には、パーク入場コントローラ２００に関連するデータベースは未使用パスの記録を有するので、顧客は追加的なパスを拒否される。
【００８０】
ここでも、アルゴリズムプロセッサ２５０はマスターコントローラ２４４と通信して、（顧客に）割り当てられ、メディア配布器２３８によって印刷される時間を提供する。
【００８１】
１つ以上の実施例では、必ずしもすべての顧客が、第２待ち行列経由でアトラクション２２に入場する資格を得るのではないようにシステムを構成することができる。他の実施例では、１人以上の顧客に、特定アトラクションへは第２待ち行列経由で入場することを許可し、他のアトラクションへは第１待ち行列経由でしか入場を許可しないことができる。１つ以上の実施例では、割増額を支払うか、あるいはある特別な資格を得た顧客のみが、第２待ち行列経由で１つ以上のアトラクションに入場することを許可される。
【００８２】
（本発明の動作、効果、及び他の特徴）
動作中には、１つ以上の実施例では、顧客がチケットまたは他の資格を受ける。例えば、アミューズメントパーク（遊園地）では、顧客がチケット代を支払ってパークに入場できる。図３に示す本発明の実施例については、メインサーバー１０４が顧客のチケットに関する情報を記憶する。
【００８３】
ある時点で、顧客は特定アトラクション２２に入場したいことがある。顧客がアトラクションに到着すると、顧客は選択肢を提示される。まず、顧客は従来からの第１待ち行列２４を通ってアトラクションに入場することができる。随意的に、顧客は第２待ち行列経由でアトラクション２２に入場することができる。
【００８４】
図９を参照して説明する。顧客が第２待ち行列２６経由でアトラクション２２に入場したい場合には、顧客はまず資格を有効確認して、第２待ち行列２６に付く割り当て時間を受ける。一実施例では、顧客が自分のチケットの一部分を、第１確認器３２のカードリーダ部分に通す。１つ以上の実施例では、上述したように指紋等をスキャン（走査）することによって有効確認を実行することができる。
【００８５】
図３に示す実施例では、第１確認器３２が確認要求を、ローカルサーバー４８を通してメインサーバー１０４に送信する。メインサーバー１０４は、チケットが有効チケットのリスト上にあることを確認する。チケットが確認されない場合には、メインサーバー１０４はこのデータを第１確認器３２に返送し、第１確認器３２はこのことを点灯または印字で顧客に示すことができる。顧客が第２待ち行列に付くためのパスまたは資格を２つ以上同時に得られない実施例では、第１確認器３２は、顧客が他の未使用の資格／パスを持たないことを確認すべく構成する。
【００８６】
図２に示すシステムのような一実施例では、チケットが有効である場合には、第１確認器３２はこのことの信号をメディア配布器３８に送信する。そしてメディア配布器３８はパスを顧客に発行する。このパスは割り当てられた入場時間を含み、顧客はこの将来の時間にアトラクション２２に戻って、第２待ち行列２６を通ってアトラクション２２に入場する資格を得る。
【００８７】
そして顧客は、アトラクション２２のエリアを離れることができる。この（離れている）時間中に、顧客は買物、食事、あるいは他の多種多様な行動をとることができる。
【００８８】
約束した時間に、顧客はアトラクション２２に戻って、第２待ち行列２６経由でアトラクションへの入場を求める。顧客は、第２確認器３４によってアトラクションに入場する資格を確立する。入場資格を提供するパスを顧客が提供される実施例では、顧客は発行されたパスを、現在時刻とパス上に印字された時刻、パスの日付、及びパスが入場資格を提供するアトラクションを確認する人に提示する。有効確認されれば、顧客はアトラクション２２に入場することを許可される。上述したように、顧客は他の方法、例えば指紋を再びスキャンすることによる方法によりアトラクションに入場する資格を確立することができる。
【００８９】
１つ以上の実施例では、第１待ち行列を通ってアトラクションに入場する顧客と第２待ち行列を通ってアトラクションに入場する顧客とを分離することができる。例えば、４台の車両を有する乗り物については、前の２台の車両を第１待ち行列２４からの顧客で満たして、後の２台の車両を第２待ち行列２６からの顧客で満たすことができる。１つ以上の実施例では、アトラクション２２への入場を行う顧客を、第１及び第２待ち行列に割り当てられた顧客に応じて統合する。
【００９０】
１つ以上の実施例では、１人以上の顧客に、第１確認器３２において資格を確立し、そして割り当てられた時間にアトラクションの第２待ち行列２６に戻る標準的な方法以外で、第２待ち行列２６経由でアトラクションに入場することを許可することができる。例えば、事前割当てされた時間を含む１つ以上のパスを複数の顧客に発行することができる。１人以上の顧客に、例えば、入場の割り当て日の前の同じ日または複数日または週にパスを発行することができる。テーマパークへの旅行を準備中の顧客はパスを購入することができる。１つ以上の実施例では、これらの割り当てられた「スポット」は、システムが第１確認器３２でアトラクションに入場する人に他のパスを発行することを決める際に、システムによって確保される。
【００９１】
１つ以上の実施例では、１人以上の顧客に、第２待ち行列２６、あるいはさらに第３待ち行列経由でアトラクションに入場することを許可することができる。例えば、特別なＶＩＰ（Very Important Person：重要人物）、障害者、あるいは他の顧客に、第２待ち行列２６、あるいは顧客が任意の時刻にアトラクションに入場することを許可する第３待ち行列経由でアトラクションに入場することを許可することができる。
【００９２】
上述したように、本発明のシステム及び方法の１つ以上の実施例では、単一の時間にアトラクションに入場するための資格またはパスを顧客が２つ以上取得することを防止する。他の実施例では、複数のパスを取得することを一部の顧客に許可することができる。一実施例では、一部の顧客にはいくつかの時間において複数のパスを取得することを許可し、他の顧客には許可しないようにシステムを構成することができる。例えば、（第１待ち行列２４か第２待ち行列２６かによって）１つまたは２つのアトラクションに入場するための待ち時間が特に長い場合には、顧客が異なるアトラクション用のパスを取得することを可能にして、顧客が他のアトラクションに入場するためのパスを取得する前に１つのアトラクションに入場する必要性を回避するようにシステムを構成することができる。
【００９３】
本発明のシステム及び方法は、１人以上の顧客が、アトラクションに入場するための標準的な行列で待たなければならないことなしにアトラクションに入場することを可能にすることが有利である。このことは、顧客が列で待つ代わりに他の行動をとることを可能にする。こうした行動は買物または食事とすることができる。
【００９４】
１つ以上の実施例では、本発明の方法及びシステムは、第１及び第２待ち行列経由でのアトラクション２２への顧客の流れの「リアルタイム（実時間）」の調整を可能にすることが有利である。このことは、顧客の需要に伴うアトラクションの収容力の最適化を可能にするので有利である。第１待ち行列２４内の顧客の列が過度に長くなった場合には、システムは、第２待ち行列２６経由でアトラクション２２に入場することを許可する顧客数の調整を行い、これにより、第１待ち行列２４に関連する待ち時間を低減することができる。これに加えて、アトラクション２２の収容力が急に低下した場合には、システムは、顧客数及び／または第２待ち行列２６経由の入場時間の調整を行い、第１及び／または第２待ち行列経由でアトラクション２２に入場する顧客の増大を防止することができる。アトラクション２２の収容力が増加した場合には、システムは、第２待ち行列２６経由でアトラクション２２に入場する顧客数を追加し、且つ／あるいは入場時間を調整して、より多くの顧客がアトラクションに入場することを許可することができる。
【００９５】
（階層構造及びリモートアクセス構造及び複数のファストパス特性）
階層構造
本発明は、アトラクションへの入場の管理も提供し、ここでは、階層システムによる優先権ベースの集合を用いたお客様についての階層構造が存在する。階層内のお客様は、階層に入る位置に基づいて第１アトラクションへの入場を許可される。例えば、翌日の来訪を計画中の、パートナー（会員）のリゾートホテルに宿泊中の来訪者に、当日にパークを来訪するお客様より高い優先権を与えることができる。
【００９６】
第１アトラクションの入場枠の割り当ての要求は次のステップを含む：
(i) 遠隔（リモート）位置におけるお客様からの入力を受信し、この入力が中央コンピュータに伝送されてアトラクションの入場を要求するステップ；
(ii) 前記階層内のお客様のレベルに関連して利用可能な戻り時間を割り当てるステップ；
(iii) 第１アトラクションについての利用可能な戻り時間を遠隔位置にいるお客様に送信するステップ；
(iv) 選択された利用可能な戻り時間をお客様が選定することを可能にするステップ。
【００９７】
１つのフォーマット内の階層は、優先権要求を行う際に上記環境から離れた所にいる人、及び上記環境にいて優先権要求を行う人に基づいて決まる。あるいはまた、この階層は、上記要求を行う際に上記環境に関連する設備内に在所する人、及び上記環境にいて優先権要求を行う人に基づく。
【００９８】
以下、本発明の階層の態様の利点を、区分（セグメンテーション）、お客様の価値（ゲストバリュー）の特徴、モデル、交換、配布、返還、及び技術的特徴に関して説明する。
【００９９】
（区分（セグメンテーション））
異なる優先権によりファストパスを取得し使用する能力及び権利に対して、異なる階層モデルを確立することができる。
【０１００】
１．お客様（ゲスト）
ａ．ホテルでのお客様当りの消費金額によって、ファストパスの取得の異なる階層を決めることができる。従って、お客様がお金を使うほど、ファストパスの優先権をより高くすることができる。
ｂ．関係リゾートのホテルの受け入れ設備（アコモデーション）及びエンターテインメント・センターに関連する環境に異なる優先権を割り当てる。お客様が関係ホテルにいれば、より高い優先権が与えられる。
ｃ．異なるホテルに異なるレベルの階層を適用することができる。従って、より豪勢なホテルがより高い優先権を持つことができる。
【０１０１】
２．季節の違いを、異なる優先権を付与する要素とすることができる。
従って、季節に応じた特別な昇格をファストパスに与えることができる。
【０１０２】
（お客様の価値（ゲストバリュー）の特徴）
異なる早い時期にリモート（遠隔地からの）アクセスを行うことによって、異なる優位性及び利益が存在し得る。
【０１０３】
１．早期ファストパス取得
ａ．室内ＴＶ（ＤＴＶまたはホテルのキオスク）経由でのファストパスの早期取得、及びファストパスが必要なアトラクションの選択をお客様に提供する能力が存在する。
(i) この取得にアクセスする能力は可変とすることができ、例えば、前夜、エンターテインメント・パークが開場するより前の日、パークが開場した後の日とすることができる。
ｂ．事前到着
(i) ファストパスは、ホーム（家庭用）コンピュータのようなリモート（遠隔）位置からウェブ（ＷＥＢ）経由で取得可能にすることができる：
(1) ファストパスは、紙に印刷されたチケットとして供給することができる。
(2) ファストパスは、ＰＤＡ（Personal Digital Assistance：個人用携帯情報端末）またはセルラー電話機にダウンロードすることによって電子的かつ無線的に供給することができる。
【０１０４】
２．リゾートのお客様にとって複数のファストパス取得が可能である。
ａ．部屋毎の各お客様は、同室の他のお客様と同じファストパスまたは別個のファストパスを選択することができる。各アトラクションを選択する際に、お客様は、どのお客様がその選択を行いたいかを選ぶことができる。
ｂ．異なる数（即ち４以上、可変とすることができる）のファストパスを与える能力は、上記区分に基づく。
【０１０５】
３．上記区分に基づいて、割増の戻り時間を与える能力が存在する。
【０１０６】
４．区分されたお客様に、特定の手持ち商品に対する最初の機会を持たせる能力が存在する。
【０１０７】
５．パークを渡り歩く資格を有するお客様が、同日の２つ目のパーク用のファストパスを選択すること可能にする能力が存在する。
【０１０８】
６．（実質的に長く待たされた）当日のお客様（デイゲスト）用の同時ファストパスを発行する能力が存在する。
【０１０９】
（モデル）
来場及び利用特性をコンピュータシステムに供給して、エンターテインメント現地におけるお客様の流れをモデル化し計画する利点を提供することができる。
【０１１０】
１．戻り時間を予測して、当日のお客様に不利にならないようにする能力が存在する。このことは、当日のお客様、及び先着順のお客様に対する打撃を最小化することである。
【０１１１】
２．手持ち商品の利用可能性を扱う情報がより多いことによって、より良い手持ち商品制御が存在する。このことは次のことを含む：
ａ．次の要素をモデルに追加することによって、生産高を最大化するためのアルゴリズムを動的に変更／調整する能力：
(i) 要素が発見された際に追加する。
(ii) 自動化された形で入手可能にする（例えば、ショーの中止、天気予報の提供、現在のリゾートの混雑度、現在または計画されたパークの入場者数、乗り物の収容力、等）。
ｂ．リゾート及び当日のお客様の利用可能性を動的に変更する能力。
ｃ．どのアトラクションを提供するかを日毎に調整する能力。
【０１１２】
（交換）
１．お客様はパーク内で１回、ファストパスを交換することができる。
ａ．異なる乗り物に交換。
ｂ．お客様は、同じ乗り物を、空きがあれば新たな（他の）時間に交換することができる。
ｃ．この交換は、手持ち商品全体について行われ、お客様が交換中のチケットに代わりに追加されるべきである。
【０１１３】
（お客様のファストパスの配布）
１．パーク内のファストパスの（配布）箇所は次のようにすることができる：
ａ．任意の場所
ｂ．最初の場所
ｃ．選択した場所のいずれか
【０１１４】
２．エンターテインメント・エリアに関連するリゾートまたは収容施設では：
ａ．ロビー内のキオスク
ｂ．部屋に配送
ｃ．フロントデスク
【０１１５】
３．セルラー電話機、ページャ（ポケットベル）、スマートトーイ（インテリジェントな玩具）、ＰＤＡ、または他の新技術。
【０１１６】
４．ＫＴＴＷカードへのリンク：
ａ．ＫＴＴＷカードは、チケットメディアを有していてもいなくても、システムによって認識されるべきである。
【０１１７】
（返還）
１．例えばＲＦ−ＩＤ、磁気ストライプ、バーコードによる自動的な（優先権の）返還が可能である。その特性は次のものの１つ以上を含む：
ａ．ショー中止時の、リアルタイムまたはリアルタイムに近い、手持ち商品への入れ戻し。
(i) お客様に関する事前パターンを、履歴ベースの情報に追加する。
ｂ．アトラクションまたはエンターテインメント・エリアへの入場時におけるお客様による返還。
ｃ．アトラクションにおける係員による追加入力。
ｄ．このことは、追跡／報告のためのチケットの資格付けに結び付く（リンクされる）。
【０１１８】
５．戻り及び待ち時間以外の情報（利用不能／閉館／等のメッセージ）を表示する能力。
【０１１９】
（モバイルシステム（移動系））
（無線（ワイヤレス）予約）
お客様は、セルラー電話機のような個人用無線装置の使用によるアトラクションの入場枠の事前割当てによって１つ以上のアトラクションへの優先入場を許可される。セルラー電話機の特定の利点は、セルラー電話機は多くの顧客が廉価に利用可能な標準的な無線通信手段であり、実際に、十分一般的になり、消費者によって国際的に通常所有され使用される装置である。セルラー電話機は、無線的な大量通信の標準的かつ一般的な形態になり、そうしたものとして、本発明の応用はセルラー電話機の形態の移動無線通信装置に指向したものである。他の移動通信を使用することもできるが、好適な用途はセルラー電話機用であり、キー入力起動及び／または発声起動用に好適に動作可能である。
【０１２０】
アトラクションのお客様は、自分のセルラー電話機を好都合に使用して、アトラクションの入場を得ることができる。セルラー電話機は、ｅ−メール（電子メール）またはテキスト（文字）メッセージを送信及び受信可能であることが好ましい。あるいはまた、セルラー電話機はインターネットのウェブページまたはデータを検索及び視認可能であることが好ましい。
【０１２１】
お客様はまず、予約システムに登録する。このことは多数の方法で行うことができる。例えば、お客様は自分のチケットから識別子、例えばチケット番号を、自分のセルラー電話機のキーパッド上で手動で入力する。そしてこの識別子はウェブサイトに送信される。中央コンピュータは、チケット番号または他の識別子がその日に発行されるチケットのものであることを確認する。このことは、人がその日にパークにいないつもりでもウェブサイトにアクセスしてアトラクションへの入場を要求する状況を回避する。一旦、お客様が有効確認されると、メッセージが自分のセルラー電話機に返送されて、お客様は、予約して利用可能な複数のアトラクションから少なくとも１つを選定するよう促される。
【０１２２】
あるいはまた、エンターテインメントの現地にいる従業員がスキャナーのような装置を用いて、お客様のチケット上の情報を読み取ることができる。このことは、お客様がチケット番号を手動で電話機に入力する必要性をなくす。この情報は、お客様の電話番号、あるいはお客様の個人用無線装置に関連する他の一意的な識別子に関連付して、中央コンピュータに送信することができる。そしてお客様は、入場を予約する少なくとも１つのアトラクションを複数のアトラクションから選定するよう促すメッセージを自分のセルラー電話機上に受信する。
【０１２３】
一旦、お客様がシステムによって正常に有効確認されるか、あるいは登録されると、システムは割り当て期間中、お客様の個人用無線装置を認識する。例えば、この割り当て期間は、チケットが有効である期間、例えば１日とすることができる。そしてお客様は、通信のやり取りをして、アトラクションの予約をして、自分の予約の有効確認を受信することができる。
【０１２４】
好適な実施例では、上記有効確認は、セルラー電話機の表示スクリーン上にバーコード画像の形で受信される。そしてお客様は、アトラクションの入口でセルラー電話機を用いて、電話機をバーコードスキャン装置上で保持することによって自分の乗り物への搭乗を有効確認する。
【０１２５】
他の実施例では、紙のチケットのような他のメディアを用いることができる。お客様はメディア生成器の所に行って自分のチケットをもらう。紙のチケット上にバーコードを設けることができる。
【０１２６】
以下、セルラー電話機のような無線装置による移動（モバイル）型のファストパス・システムの利用についてさらに説明する。
【０１２７】
図１０に示すように、お客様は、電子的にパークの入場許可を得るプロセスに入る。セルラー電話機は、ｅ−メールまたはテキストメッセージを送信及び受信可能であることが好ましい。あるいはまた、セルラー電話機はインターネットのウェブページまたはデータを検索または視認可能であることが好ましい。セルラー電話機または無線装置のこうした動作は、要求をキー入力し、スクリーン上または口頭でのプロンプト（入力促進）に応答することによって実行することができる。そうしたものとして、この装置は音声認識ソフトウェアまたは他の同様の能力を具えることができる。
【０１２８】
お客様はまず、移動型ファストパス・システムで登録する。このことは多数の方法で行うことができる。例えば、お客様は自分のチケットから識別子（例えばチケット番号）を自分のセルラー電話機のキーパッド上に手動で入力する。そしてこの識別子はウェブサイトに送信される。中央コンピュータは、チケット番号または他の識別子がその日に発行されるチケットのものであることを有効確認する。このことは、人がその日にパークにいないつもりでもウェブサイトにアクセスしてアトラクションへの入場を要求する状況を回避する。一旦、お客様が有効確認されると、メッセージが自分のセルラー電話機に返送されて、お客様は、予約して利用可能な複数のアトラクションから少なくとも１つを選定するよう促される。
【０１２９】
あるいはまた、エンターテインメントの現地にいる従業員がスキャナーのような装置を用いて、お客様のチケット上の情報を読み取ることができる。このことは、お客様がチケット番号を手動で電話機に入力する必要性をなくす。この情報は、お客様の電話番号、あるいはお客様の個人用無線装置に関連する他の一意的な識別子に関連付して、中央コンピュータに送信することができる。そしてお客様は、入場を予約する少なくとも１つのアトラクションを複数のアトラクションから選定するよう促すメッセージを自分のセルラー電話機上に受信する。
【０１３０】
本発明によるシステムをより詳細に、図１１及び１２に示す。
【０１３１】
一般に、入場券（チケット）はエンターテインメント環境に入るお客様によって購入され、こうしたお客様に対して発行される。一実施例では、入場券データはエンターテインメントの現地でスキャンされる。その日用の入場券データはファストパス・システムによって利用可能にされ、チケット（入場券）を購入したお客様に、その日のシステムへのアクセス権を与える。その後に、セルラー電話機を用いてシステムとのインタフェースをとる。
【０１３２】
他の実施例では、先行して登録を行う。お客様はセルラー電話機または他のウェブ利用可能装置によってウェブページにアクセスし、チケットＩＤ及び必要な情報を登録する。ウェブ電話機はスクリーンを通してチケット情報を取得する能力を示す。この情報はｅ-メールアドレスに送信することができ、あるいは物理アドレスに送信することができる。登録を先行して実行すると、このことは、セルラー電話機から適切な伝送路を通してデータベースに信号を渡すことによって、先行データベースに対してチェックされる。これにより、このデータとの整合がとれる際にチケット発行情報が得られる。
【０１３３】
一旦、お客様がシステムによって正常に有効確認されるか、あるいは登録されると、システムは、割り当てられた期間中お客様の個人用無線装置を認識する。例えば、この割り当て期間は、チケットが有効である期間、例えば１日とすることができる。そしてお客様は、通信のやり取りをして、アトラクションの予約をして、自分の予約の有効確認を受信することができる。
【０１３４】
一部の実施例では、ファストパス発行サイトにアクセスすることによって有効確認が得られ、そして実際のファストパス・チケットが得られる。セルラー電話機によって、お客様はファストパス発行サイトについての情報を有するメールを受信し、このサイトは、エンターテインメント環境内、あるいはエンターテインメント環境に関連するリゾートまたは設備内のキオスクまたは異なるサイトに置くことができる。
【０１３５】
好適な実施例では、図１３に示すように、上記有効確認は、セルラー電話機の表示スクリーン上にバーコード画像の形で受信される。そしてお客様は、アトラクションの入口でセルラー電話機を用いて、電話機をバーコードスキャン装置上で保持することによって自分の乗り物への搭乗を有効確認する。他の実施例では、紙のチケットのような他のメディアを用いることができる。お客様は、自分のチケットをもらうために、こうしたメディアの生成器の所に行かなければならない。
【０１３６】
先行データベース登録を確認する受信情報が存在する際には、お客様のセルラー電話機は、ファストパス発行サイトのアドレスを有するｅ−メールを受信する。そしてセルラー電話機のスクリーンは、適切なウェブサイトを示しているファストパスに対してウェルカム（歓迎）メッセージを示す。セルラー電話機上のキーボードによるやり取りを通して、異なるアトラクションを通し見てクリックして、利用可能であり、且つチケットのプロバイダー（提供者）によって与えられた時間範囲のファストパスを選択することによってファストパスが取得される。ファストパス・チケットを取得すると、バーコード等がユーザーのセルラー電話機上に表示される。ファストパスの利用は、このバーコードをスキャナーの前に提示してファストパス入場を確認することによって達成される。このスキャナーはアトラクションに関連する。
【０１３７】
図１４は、本発明によるモバイルシステムをさらに示す図である。お客様は、ウェブページにアクセスする能力を有するセルラー電話機を利用してサーバーと通信して、アトラクションへの入場を要求し受信する。適切なファイアーウォールがあるべき所にあり、そしてサーバーへのアクセスが可能な所では、セルラー電話機とサーバーとの間で通信が行われる。サーバーとの通信は、電話のサービス提供者（プロバイダー）によって限定または制限することができる。必要に応じて、無線で、あるいはＬＡＮラインを通してサーバーに情報を伝送する適切なコンピュータＰＣ１及びＰＣ２が追加的に存在する。
【０１３８】
図１５に示すように、セルラー電話機は、ファイアーウォールを通してウェブサイト、例えばwww.fastpass.comを運用するサーバーと通信する。同様に、セルラー電話機はファイアーウォールを通してデータベース管理システム及びコンピュータと共に動作して、チケット及びファストパス・チケットを発行する。ウェブサイトを運用するプロダクション（作成）サーバーと、アトラクション及びエンターテインメント環境を通したアトラクションへの入場を運用するサーバーとの間には専用線が存在することができる。
【０１３９】
図１６〜１７に、本発明の一実施例における、ユーザーに対して提示されるセルラー電話機のスクリーン上のメッセージフロー（メッセージの流れ）を示す。メッセージは、ファストパスのサイトを運用するサーバーから生成される。ウェルカム・メッセージ１６０は、登録に関する情報１６２と共に示す。ユーザーは、チケットＩＤ、メールアドレス、及び電話番号のような情報を入力することを促される。そしてこの情報はサーバーに送信され処理されて、チケットＩＤまたは番号が有効であることが保証される。登録がアドレスまたはファストパス発行サイトへのリンクと共に正常に完了したことの確認は、ｅ−メールによってユーザーに送信される。ファストパス・チケット及び登録番号についての情報は、セルラー電話機上でユーザーに与えられる。
【０１４０】
ユーザーは電話機上の選択手段を用いて、ユーザーがファストパス・チケットを要求する異なるアトラクションを選択する。そして戻り時間は、当該アトラクション及びエンターテインメント環境内の他のアトラクションの受け入れを運用するコンピュータシステムによって提供される。ファストパス・チケットを取得する際には、バーコードまたは他のそうした信号がセルラー電話機に供給され、そしてファストパスを利用してアトラクションに入場する際に、アトラクションにおいてセルラー電話機を使用することができる。そして、発行されたファストパスについての情報は、ファストパスが利用可能である時期についての指標、例えば有効期間内であるか期間外であるか、２人以上のお客様がこのファストパスを使用可能か否か、及び／またはこのファストパスが複数回使用可能であるか否かを含めてユーザーに提示される。
【０１４１】
本発明の利用の他の例は、お客様が設備または規定領域の辺りを移動すると共に、お客様またはユーザーのセルラー電話機または無線装置を追跡する能力を含む。例えば、このことは、お客様の受け入れ、及び中央設備コンピュータがお客様の位置を追跡すること、及び必要に応じてこれらのお客様にお勧めを行うことを提供する。エンターテインメント環境では、特定のアトラクションが例えば優先権システムにより機能しないか、あるいは全く機能しない際には、上記お勧めは、代案のアトラクションまたは行動をお客様に提案することができる。こうした代案は、利用不可能なアトラクションについて優先権サービスを受けられないことの見返りの優先権に基づいて受け入れることができる。
【０１４２】
（一般）
本発明が見据える他の種類の環境は、不必要な混雑が生じ得る環境、及び／または所望の位置への、あるいは位置からの大量の人の流れを制御することが望ましい環境を含む。この意味では、本発明のシステム、装置及び方法の他のいくつかの例は、緊急時または潜在的緊急時（緊急事態の恐れがある際）のセンターからの退避計画を含む。こうした緊急事態は、破壊的な力または人々によって生じる国家的脅威の切迫であり得る。
【０１４３】
これに加えて、本発明のシステムは、劇場（シアター）、スタジアム、等におけるイベントからの出場作戦を計画するために利用することができる。
【０１４４】
また、本発明のシステムは、限定された交通システム、例えば鉄道、航空、海上及びバス交通を含む公共交通システムの利用における人々の案内及びメッセージの制御に利用することができる。
【０１４５】
本発明のシステムは、異なるコミュニティ（共同社会）、州、及び連邦当局のための緊急管理用途への応用を有することができる。
【０１４６】
本発明のシステムは、災害または脅威的災害の領域内にある家庭、建物、センター、エンターテインメント（娯楽）及びアトラクションのエリア及びリゾートからの退避を手助けすることができる。こうしたものとして、本発明のシステムは、徒歩、道路、鉄道、及び航空機の出口を共に含む限られた出口経路の管理に利用することができる。このようにして、本発明のシステムは、道路、鉄道、船舶の設備、車両、車道、鉄道及び航空機の飛行の制御された利用も提供する。
【０１４７】
規定エリアからの人の移動を管理する方法及びシステムは、とりわけ無線媒体を通した人との通信、中でも出発する第１位置と接続されたセルラー電話機を通した通信を含む。その後に、通信媒体、とりわけセルラー電話上での、入場枠または指定した第１位置を離れる時間の割り当ての要求の入力による申し込みが許可される。
【０１４８】
このことは、次のステップを含む：
(i) 離れた第１位置にいるお客様からの入力を受信し、この入力が中央コンピュータに伝送されて、第２位置に向かう人数に対する第１位置にいる人数を調整するステップ；
(ii) 離れた所の人による、第１からの出発に利用可能な（複数）時刻についての応答の受信を許可するステップ；
(iii) 上記の人が、上記出発時刻の１つの選択を実行することを許可するステップ；
【０１４９】
セルラー電話機による入力操作、好適にはキー入力操作を用いて、第１位置からの出発の許可を与える。
【０１５０】
離れた第１位置からの入力を、電話機のキーパッド、とりわけセルラー電話機のキーパッドから受信する。この入力は環境内の複数の第１位置から実行され、ここではセルラー電話機のキーパッドを用いて、複数の第１位置から選択した複数の第２位置に向けた出発を許可する。第１位置にいて出発時刻を割り当てられていない人は、先着順の利用可能に基づいて出発を許可される。
【０１５１】
本発明の他の例は多数存在し、各々はその詳細事項が互いに異なるに過ぎない。
【０１５２】
例えば、本発明の他の変形は、ＤＴＭＦ（Dual Tone Multi Frequency：（電話機のプッシュボタンの）トーン選択）、音声認識、及びＳＭＳ（Short Message Service：ショートメッセージサービス）の、ウェブ／ＷＡＰ（Wireless Application Protocol：無線アプリケーション・プロトコル）との通信媒体としての使用を含む。これらの媒体は特に、セルラー電話機／無線アプリケーションと共に使用するためのものである。入場及びファストパスの取得は、サイトに接続するための無線装置によって、あるいはこうした無線装置無しに、専用ウェブサイト上で直接達成することができる。本発明の異なる特徴は、本発明のプログラムによって達成することができ、そして、ウェブサイト上での要求または嗜好に応じて選択的に利用可能にすることができる。
【０１５３】
もちろん、以上の説明は本発明の１つ以上の具体例であり、請求項に規定された本発明の範囲から逸脱することなしに種々の変更及び変形を加えることができる。
【図面の簡単な説明】
【０１５４】
【図１】本発明の実施例による、単一のアトラクションへの入場を管理するアトラクション入場管理システムを図式的に示す図である。
【図２】図１に示すようなシステムをより詳細に示す図である。
【図３】複数のアトラクションへの入場を管理する本発明のシステムを示す図であり、複数のシステムを含む。
【図４】複数のチケットを長期ベースで交付する管理システムを示す流れ図であり、これらのチケットは来園前に受け取られる。
【図５】複数のチケットを長期ベースで交付する管理システムを示す流れ図であり、これらのチケットは来園時に取得される。
【図６】本発明の実施例を示す流れ図であり、本発明の実施例のコントローラにマスターサーバーから情報が供給される。
【図７Ａ】本発明の方法を示す流れ図であり、この方法によって、コントローラから本発明の実施例のマスターサーバーに情報が供給される。
【図７Ｂ】本発明の方法を示す流れ図であり、この方法によって、コントローラから本発明の実施例のマスターサーバーに情報が供給される。
【図７Ｃ】本発明の方法を示す流れ図であり、この方法によって、コントローラから本発明の実施例のマスターサーバーに情報が供給される。
【図８】本発明による他の実施例を示す図である。
【図９】本発明の方法の実施例を示す流れ図である。
【図１０】ファストパス・システムを示すプロセスの流れ図である。
【図１１】セルラー電話機を用いたモバイル・ファストパス・システムのプロセスの流れをより詳細に示す図である。
【図１２】セルラー電話機を用いたモバイル・ファストパス・システムのプロセスの流れを示す、システムをさらに詳細に示した図である。
【図１３】セルラー電話機を用いたモバイル・ファストパス・システムを示す、図１２から続くプロセスの流れ図である。
【図１４】アトラクション側との無線接続を通してセルラー電話機を用いるシステム環境を示す図である。
【図１５】セルラー電話機の使用及びエンターテインメント環境との無線接続をさらに示す図であり、優先権ファストパス・システムの動作を制御するコンピュータを示す。
【図１６】登録からファストパスの発行までのプロセスの流れを示す流れ図であり、入力装置のスクリーンからファストパス・チケットを取得する箇所まで流れるメッセージと関連付けて示す。
【図１７】ファストパス装置によって優先権ベースで利用可能なアトラクションにおけるモバイル装置によるファストパスの使用を示す流れ図である。
【図１】
2007509396.tif 000003
【図２】
2007509396.tif 000004
【図３】
2007509396.tif 000005
【図４】
2007509396.tif 000006
【図５】
2007509396.tif 000007
【図６】
2007509396.tif 000008
【図７Ａ】
2007509396.tif 000009
【図７Ｂ】
2007509396.tif 000010
【図７Ｃ】
2007509396.tif 000011
【図８】
2007509396.tif 000012
【図９】
2007509396.tif 000013
【図１０】
2007509396.tif 000014
【図１１】
2007509396.tif 000015
【図１２】
2007509396.tif 000016
【図１３】
2007509396.tif 000017
【図１４】
2007509396.tif 000018
【図１５】
2007509396.tif 000019
【図１６】
2007509396.tif 000020
【図１７】
2007509396.tif 000021
【国際調査報告】
2007509396.tif 000022